【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
モバイルデバイスが移動状態から静止状態に移行したことを判断するステップと、
前記モバイルデバイス内の1つまたは複数のセンサーからデータを受信するステップであって、前記データが、前記モバイルデバイスと接触している表面のタイプに関係する、ステップと、
前記モバイルデバイスが静止状態にあることを判断したことに応じて、前記受信されたデータを使用して、前記モバイルデバイスと接触している表面のタイプを判断するステップと、
前記モバイルデバイスと接触している表面のタイプに基づいて、前記モバイルデバイスのロケーションを判断するステップと、
前記モバイルデバイスと接触している表面のタイプに基づいて判断されたロケーションに基づいて、アクションを行うステップと、
前記モバイルデバイスが移動したと判断するステップと、
前記1つまたは複数のセンサーから第2のセットのデータを受信するステップと、
前記第2のセットのデータを使用して、前記モバイルデバイスと接触している異なるタイプの表面を判断するステップと、
前記判断された異なるタイプの表面に基づいて、異なるアクションを行うステップと
を含む方法。
【請求項２】
前記モバイルデバイスが前記表面から離れたと判断するステップと、
前記モバイルデバイスが前記表面から離れた後に第2の異なるアクションを行うステップと
をさらに含む、請求項1に記載の方法。
【請求項３】
前記1つまたは複数のセンサーが、マイクロフォンおよび雑音発生器を含み、前記マイクロフォンが、前記雑音発生器によって生成され、前記表面によって反射された音を検出する、請求項1に記載の方法。
【請求項４】
前記雑音発生器が、スピーカおよび振動器のうちの少なくとも1つである、請求項3に記載の方法。
【請求項５】
前記1つまたは複数のセンサーが、光ベースの近接センサーを含む、請求項1に記載の方法。
【請求項６】
前記1つまたは複数のセンサーが、前記表面のテクスチャおよび前記表面から反射された圧力波のうちの少なくとも1つを検出するように構成された圧力センサーを含む、請求項1に記載の方法。
【請求項７】
前記圧力波が、前記モバイルデバイスを下に置くことおよび雑音発生器のうちの少なくとも1つによって生じる、請求項6に記載の方法。
【請求項８】
前記雑音発生器が、スピーカおよび振動器のうちの少なくとも1つである、請求項7に記載の方法。
【請求項９】
前記圧力センサーが、誘電性エラストマーを含む、請求項6に記載の方法。
【請求項１０】
前記アクションを行うステップが、前記モバイルデバイスを制御して、前記アクションを行うステップを含む、請求項1に記載の方法。
【請求項１１】
前記受信されたデータを使用して、前記モバイルデバイスと接触している表面のタイプを判断するステップが、前記表面の硬度、テクスチャ、パターン、質量および寸法のうちの少なくとも1つを判断するステップを含む、請求項1に記載の方法。
【請求項１２】
前記受信されたデータを使用して、前記モバイルデバイスと接触している表面のタイプを判断するステップが、前記表面の材料を判断するステップを含む、請求項1に記載の方法。
【請求項１３】
モバイルデバイスが移動状態から静止状態に移行したことを判断するステップと、
前記モバイルデバイス内の1つまたは複数のセンサーからデータを受信するステップであって、前記データが、前記モバイルデバイスと接触している表面のタイプに関係する、ステップと、
前記モバイルデバイスが静止状態にあることを判断したことに応じて、前記受信されたデータを使用して、前記モバイルデバイスと接触している表面のタイプを判断するステップと、
前記モバイルデバイスと接触している表面のタイプに基づいて、前記モバイルデバイスのロケーションを判断するステップと
を含み、前記モバイルデバイスのロケーションを判断するステップが、
追加のデータを受信するステップを含み、前記追加のデータが、大まかな位置決定、検出されたワイヤレスデバイス、環境音、およびユーザのルーチンに関連する時間のうちの少なくとも1つを含み、
更に、前記ロケーションを判断するために、前記表面のタイプとともに前記追加のデータを使用するステップを含み、
更に、前記モバイルデバイスと接触している表面のタイプに基づいて判断されたロケーションに基づいて、アクションを行うステップ
を含む方法。
【請求項１４】
モバイルデバイスであって、
1つまたは複数のセンサーと、
1つまたは複数の動きセンサーと、
前記1つまたは複数のセンサーからのデータおよび前記1つまたは複数の動きセンサーからの動きデータを受信するように結合されたプロセッサとを備え、
前記データが、前記モバイルデバイスと接触している表面のタイプに関係し、
前記プロセッサが、前記動きデータを使用して、モバイルデバイスが移動状態から静止状態に移行したことを判断し、前記モバイルデバイスが静止状態にあることの判断に応じて、前記受信されたデータを使用して、前記モバイルデバイスと接触している表面のタイプを判断し、前記モバイルデバイスと接触している表面のタイプに基づいて、前記モバイルデバイスのロケーションを判断し、前記モバイルデバイスと接触している表面のタイプに基づいて判断されたロケーションに基づいて、アクションを行うように構成され、
前記プロセッサが、いつ前記モバイルデバイスが移動したかを判断し、前記1つまたは複数のセンサーから第2のセットのデータを受信し、前記第2のセットのデータを使用して、前記モバイルデバイスと接触している異なるタイプの表面を判断し、前記判断された異なるタイプの表面に基づいて、異なるアクションを行うようにさらに構成される、
モバイルデバイス。
【請求項１５】
前記プロセッサが、いつ前記モバイルデバイスが前記表面から離れたかを判断し、前記モバイルデバイスが前記表面から離れた後に第2の異なるアクションを行うようにさらに構成される、請求項14に記載のモバイルデバイス。
【請求項１６】
前記1つまたは複数のセンサーが、マイクロフォンおよび雑音発生器を含み、前記マイクロフォンが、前記雑音発生器によって生成され、前記表面によって反射された音を検出する、請求項14に記載のモバイルデバイス。
【請求項１７】
前記雑音発生器が、スピーカおよび振動器のうちの少なくとも1つである、請求項16に記載のモバイルデバイス。
【請求項１８】
前記1つまたは複数のセンサーが、光ベースの近接センサーを含む、請求項14に記載のモバイルデバイス。
【請求項１９】
前記1つまたは複数のセンサーが、前記表面のテクスチャおよび前記表面から反射された圧力波のうちの少なくとも1つを検出するように構成された圧力センサーを含む、請求項14に記載のモバイルデバイス。
【請求項２０】
前記圧力波が、前記モバイルデバイスを下に置くことおよび雑音発生器のうちの少なくとも1つによって生じる、請求項19に記載のモバイルデバイス。
【請求項２１】
前記雑音発生器が、スピーカおよび振動器のうちの少なくとも1つである、請求項20に記載のモバイルデバイス。
【請求項２２】
前記圧力センサーが、誘電性エラストマーを含む、請求項19に記載のモバイルデバイス。
【請求項２３】
前記プロセッサが、前記表面の硬度、テクスチャ、パターン、質量および寸法のうちの少なくとも1つを判断するように構成されることによって、前記モバイルデバイスと接触している前記表面のタイプを判断するように構成される、請求項14に記載のモバイルデバイス。
【請求項２４】
前記プロセッサが、前記表面の材料を判断するように構成されることによって、前記モバイルデバイスと接触している前記表面のタイプを判断するように構成される、請求項14に記載のモバイルデバイス。
【請求項２５】
モバイルデバイスであって、
1つまたは複数のセンサーと、
1つまたは複数の動きセンサーと、
前記1つまたは複数のセンサーからのデータおよび前記1つまたは複数の動きセンサーからの動きデータを受信するように結合されたプロセッサとを備え、
前記データが、前記モバイルデバイスと接触している表面のタイプに関係し、
前記プロセッサが、前記動きデータを使用して、モバイルデバイスが移動状態から静止状態に移行したことを判断し、前記モバイルデバイスが静止状態にあることの判断に応じて、前記受信されたデータを使用して、前記モバイルデバイスと接触している表面のタイプを判断し、前記モバイルデバイスと接触している表面のタイプに基づいて、前記モバイルデバイスのロケーションを判断するように構成され、
前記プロセッサが、前記1つまたは複数のセンサーから追加のデータを受信し、前記表面のタイプとともに前記追加のデータを使用して、前記ロケーションを判断するように構成されることによって、前記モバイルデバイスの前記ロケーションを判断するように構成され、前記追加のデータが、大まかな位置決定、検出されたワイヤレスデバイス、環境音、およびユーザのルーチンに関連する時間のうちの少なくとも1つを含み、
前記プロセッサが、前記モバイルデバイスと接触している表面のタイプに基づいて判断されたロケーションに基づいて、アクションを行うように構成される、
モバイルデバイス。
【請求項２６】
モバイルデバイスであって、
前記モバイルデバイスが移動状態から静止状態に移行したことを判断するための手段と、
前記モバイルデバイス内の1つまたは複数のセンサーからデータを受信するための手段であって、前記データが、前記モバイルデバイスと接触している表面のタイプに関係する、手段と、
前記モバイルデバイスが静止状態にあることを判断したことに応じて、前記受信されたデータを使用して、前記モバイルデバイスと接触している表面のタイプを判断するための手段と、
前記モバイルデバイスと接触している表面のタイプに基づいて、前記モバイルデバイスのロケーションを判断するための手段と、
前記モバイルデバイスと接触している表面のタイプに基づいて判断されたロケーションに基づいて、アクションを行うための手段と、
前記モバイルデバイスが移動したと判断するための手段と、
前記1つまたは複数のセンサーから第2のセットのデータを受信するための手段と、
前記第2のセットのデータを使用して、前記モバイルデバイスと接触している異なるタイプの表面を判断するための手段と、
前記判断された異なるタイプの表面に基づいて、異なるアクションを行うための手段と
を備えるモバイルデバイス。
【請求項２７】
データを受信するための前記手段が、マイクロフォンおよび雑音発生器、光ベースの近接センサー、ならびに圧力センサーのうちの少なくとも1つを含む、請求項26に記載のモバイルデバイス。
【請求項２８】
モバイルデバイスであって、
前記モバイルデバイスが移動状態から静止状態に移行したことを判断するための手段と、
前記モバイルデバイス内の1つまたは複数のセンサーからデータを受信するための手段であって、前記データが、前記モバイルデバイスと接触している表面のタイプに関係する、手段と、
前記モバイルデバイスが静止状態にあることを判断したことに応じて、前記受信されたデータを使用して、前記モバイルデバイスと接触している表面のタイプを判断するための手段と、
前記モバイルデバイスと接触している表面のタイプに基づいて、前記モバイルデバイスのロケーションを判断するための手段と
を備え、前記モバイルデバイスのロケーションを判断するための手段が、
前記モバイルデバイスと接触している表面のタイプに関係しない追加のデータを受信するための手段を有し、前記追加のデータが、大まかな位置決定、検出されたワイヤレスデバイス、環境音、およびユーザのルーチンに関連する時間のうちの少なくとも1つを含み、
更に、前記ロケーションを判断するために、前記表面のタイプとともに前記追加のデータを使用するための手段を有し、
更に、前記モバイルデバイスと接触している表面のタイプに基づいて判断されたロケーションに基づいて、アクションを行うための手段
を備えるモバイルデバイス。
【請求項２９】
プログラムコードを記憶した非一時的コンピュータ可読記録媒体であって、
モバイルデバイスが移動状態から静止状態に移行したことを判断するためのプログラムコードと、
前記モバイルデバイス内の1つまたは複数のセンサーからデータを受信するためのプログラムコードであって、前記データが、前記モバイルデバイスと接触している表面のタイプに関係する、プログラムコードと、
前記モバイルデバイスが静止状態にあることを判断したことに応じて、前記受信されたデータを使用して、前記モバイルデバイスと接触している表面のタイプを判断するためのプログラムコードと、
前記モバイルデバイスと接触している表面のタイプに基づいて、前記モバイルデバイスのロケーションを判断するためのプログラムコードと、
前記モバイルデバイスと接触している表面のタイプに基づいて判断されたロケーションに基づいて、アクションを行うためのプログラムコードと、
前記モバイルデバイスが移動したと判断するためのプログラムコードと、
前記1つまたは複数のセンサーから第2のセットのデータを受信するためのプログラムコードと、
前記第2のセットのデータを使用して、前記モバイルデバイスと接触している異なるタイプの表面を判断するためのプログラムコードと、
前記判断された異なるタイプの表面に基づいて、異なるアクションを行うためのプログラムコードと
を含む非一時的コンピュータ可読記録媒体。
【請求項３０】
プログラムコードを記憶した非一時的コンピュータ可読記録媒体であって、
モバイルデバイスが移動状態から静止状態に移行したことを判断するためのプログラムコードと、
前記モバイルデバイス内の1つまたは複数のセンサーからデータを受信するためのプログラムコードであって、前記データが、前記モバイルデバイスと接触している表面のタイプに関係する、プログラムコードと、
前記モバイルデバイスが静止状態にあることを判断したことに応じて、前記受信されたデータを使用して、前記モバイルデバイスと接触している表面のタイプを判断するためのプログラムコードと、
前記モバイルデバイスと接触している表面のタイプに基づいて、前記モバイルデバイスのロケーションを判断するためのプログラムコードとを含み、前記モバイルデバイスのロケーションを判断するためのプログラムコードが、判断された表面のタイプとともに、前記モバイルデバイスと接触している表面のタイプに関係しない受信された追加のデータを使用して、前記ロケーションを判断するためのプログラムコードを含み、前記追加のデータが、大まかな位置決定、検出されたワイヤレスデバイス、環境音、およびユーザのルーチンに関連する時間のうちの少なくとも1つを含み、
更に、前記モバイルデバイスと接触している表面のタイプに基づいて判断されたロケーションに基づいて、アクションを行うためのプログラムコードを含む
非一時的コンピュータ可読記録媒体。